(57)【要約】【課題】簡素な構成で、発光パネルを面に保持しつつ発光パネルに電力を供給する。【解決手段】発光パネル１００は受給端子１３０を有している。電力供給装置２００は、供給端子２２０を有している。供給端子２２０は開口２４２を有している。開口２４２には、発光パネル１００の受給端子１３０が差し込まれる。そして受給端子１３０が開口２４２に差し込まれる場合に、受給端子１３０の差し込まれる方向が鉛直方向の上側から下側に向かう方向となっている。これにより、受給端子１３０が開口２４２に差し込まれた場合に、重力によって受給端子１３０を供給端子２２０に引っかけることができる。このようにして発光パネル１００を電力供給装置２００に取り付けることができる。さらに受給端子１３０及び供給端子２２０を介して電力供給装置２００から発光パネル１００に電力を供給することができる。【選択図】図１０
2015204208.tif 000002
【特許請求の範囲】
【請求項１】
面状の光源に電力を供給する電力供給装置であって、
前記光源の端子が差し込まれる開口を有する電力供給部を備え、
前記端子が前記開口に差し込まれる場合に、前記端子の差し込まれる方向は、
鉛直方向の上側から下側に向かう方向の成分を有し、又は
鉛直方向に対して垂直な方向である電力供給装置。
【請求項２】
請求項１に記載の電力供給装置において、
前記電力供給装置は、複数の前記電力供給部が設けられた第１面を有しており、
前記複数の電力供給部は、
前記第１面に沿って並べられており、
各開口が同じ方向を向いている電力供給装置。
【請求項３】
面状の光源と、
前記光源の第１面に設けられ、前記光源の電力を外部から受給する電力受給部と、
を備え、
前記電力受給部の形状は、
前記第１面に設けられた第１凸部と、
前記第１凸部の側面に設けられた第２凸部と、
を有している光源装置。
【請求項４】
請求項３に記載の光源装置において、
前記第１凸部及び前記第２凸部は導電性を有する光源装置。
【請求項５】
請求項３又は４に記載の光源装置において、
前記第２凸部は、前記第１凸部のうち前記第１面と反対側の端部に位置しており、
前記第２凸部の長さは前記第１凸部の高さよりも長い光源装置。
【請求項６】
請求項１又は２に記載の電力供給装置の前記開口に、請求項３〜５のいずれか一項に記載の光源装置の前記第２凸部が差し込まれた発光装置。
【発明の詳細な説明】
【技術分野】
【０００１】
本発明は、電力供給装置、光源装置、及び発光装置に関する。
【背景技術】
【０００２】
有機ＥＬ（Ｏｒｇａｎｉｃ  Ｅｌｅｃｔｒｏ−Ｌｕｍｉｎｅｓｃｅｎｃｅ）素子又はＬＥＤ（Ｌｉｇｈｔ  Ｅｍｉｔｔｉｎｇ  Ｄｉｏｄｅ）といった発光素子を用いた発光パネルが現在開発されている。このような発光パネルは照明器具に用いられる場合がある。そしてこの場合、発光パネルを天井又は壁面といった面に保持する必要がある。このため、発光パネルを保持する保持部材が現在開発されている。
【０００３】
例えば、特許文献１では、次のような発光パネル及び保持部材が記載されている。発光パネルは板状の形状を有しており、その厚さ方向に互いに対向する第１面及び第２面を有している。第１面には、平面光源が形成されている。第２面には、第１爪部及び第２爪部が形成されている。保持部材は板状の形状を有しており、その厚さ方向に垂直な第３面を有している。第３面には、第３爪部及び第４爪部が形成されている。第１爪部を第３爪部に引っかけると、発光パネルは保持部材に対して回転自在になる。この場合に発光パネルを保持部材に対して回転させて発光パネルの第２面を保持部材の第３面に対向させる。そして発光パネルの第２爪部を保持部材の第４爪部に引っかける。これにより、発光パネルが保持部材に保持される。
【先行技術文献】
【特許文献】
【０００４】
【特許文献１】特開２０１２−１９９２１９号公報
【発明の概要】
【発明が解決しようとする課題】
【０００５】
発光パネルを駆動するためには、発光パネルに電力を供給する必要がある。さらに発光パネルを面（例えば、天井又は壁面）に設ける場合、発光パネルを面に保持する必要がある。本発明者は、簡素な構成で、発光パネルを面に保持しつつ発光パネルに電力を供給する方法を検討した。
【０００６】
本発明が解決しようとする課題としては、簡素な構成で、発光パネルを面に保持しつつ発光パネルに電力を供給することが一例として挙げられる。
【課題を解決するための手段】
【０００７】
請求項１に記載の発明は、
面状の光源に電力を供給する電力供給装置であって、
前記光源の端子が差し込まれる開口を有する電力供給部を備え、
前記端子が前記開口に差し込まれる場合に、前記端子の差し込まれる方向は、
鉛直方向の上側から下側に向かう方向の成分を有し、又は
鉛直方向に対して垂直な方向である電力供給装置である。
【０００８】
請求項３に記載の発明は、
面状の光源と、
前記光源の第１面に設けられ、前記光源の電力を外部から受給する電力受給部と、
を備え、
前記電力受給部の形状は、
前記第１面に設けられた第１凸部と、
前記第１凸部の側面に設けられた第２凸部と、
を有している光源装置である。
【０００９】
請求項６に記載の発明は、
上記した電力供給装置の前記開口に、上記した光源装置の前記第２凸部が差し込まれた発光装置である。
【図面の簡単な説明】
【００１０】
【図１】実施形態に係る発光パネルを示す斜視図である。
【図２】図１に示した発光パネルの裏面を示す斜視図である。
【図３】図１に示した発光パネルの側面図である。
【図４】図３の拡大図である。
【図５】実施形態に係る電力供給装置を示す斜視図である。
【図６】図５に示した電力供給装置の側面図である。
【図７】図５の拡大図である。
【図８】発光パネルを電力供給装置に取り付ける方法を説明するための図である。
【図９】発光パネルを電力供給装置に取り付ける方法を説明するための図である。
【図１０】発光パネルを電力供給装置に取り付ける方法を説明するための図である。
【図１１】実施例１に係るカバーを示す斜視図である。
【図１２】図１１に示したカバーの裏面を示す斜視図である。
【図１３】図１１に示したカバーが図５に示した電力供給装置を覆う状態を示した図である。
【図１４】カバーを介して発光パネルを電力供給装置に取り付ける方法を説明するための図である。
【図１５】カバーを介して発光パネルを電力供給装置に取り付ける方法を説明するための図である。
【図１６】カバーを介して発光パネルを電力供給装置に取り付ける方法を説明するための図である。
【図１７】実施例３に係る電力供給装置を示す斜視図である。
【図１８】鉛直方向に沿った面に発光パネル及び電力供給装置を取り付ける方法を説明するための図である。
【図１９】鉛直方向に沿った面に発光パネル及び電力供給装置を取り付ける方法を説明するための図である。
【図２０】鉛直方向に沿った面に発光パネル及び電力供給装置を取り付ける方法を説明するための図である。
【図２１】鉛直方向に沿った面に発光パネル及び電力供給装置を取り付ける方法を説明するための図である。
【図２２】実施例５に係る電力供給装置を示す斜視図である。
【図２３】実施例５に係る発光装置を示す斜視図である。
【図２４】実施例６に係るカバーを示す斜視図である。
【図２５】図２４に示したカバーの裏面を示す斜視図である。
【図２６】実施例６に係る発光装置を示す斜視図である。
【図２７】実施例７に係る電力供給装置を示す斜視図である。
【図２８】実施例７に係る発光装置を示す斜視図である。
【図２９】実施例８に係るカバーを示す斜視図である。
【図３０】図２９に示したカバーの裏面を示す斜視図である。
【図３１】実施例８に係る発光装置を示す斜視図である。
【図３２】実施例９に係る発光パネルを示す斜視図である。
【図３３】実施例９に係る電力供給装置を示す斜視図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る発光パネル１００を示す斜視図である。図２は、図１に示した発光パネル１００の裏面を示す斜視図である。図３は、図１に示した発光パネル１００の側面図である。図４は、図３の拡大図である。
【００１３】
発光パネル１００（光源装置）は、基材１１０、光源１２０、及び受給端子１３０（電力受給部）を有している。光源１２０及び受給端子１３０は、基材１１０に設けられている。受給端子１３０は、光源１２０の電力を外部から受給するための端子である。光源１２０は、光（例えば、可視光、紫外線、又は赤外線）を発する発光素子を含んでいる。本図に示す例においてこの発光素子は有機ＥＬ素子である。ただし、上記した発光素子は有機ＥＬ素子に限定されるものではなく、例えばＬＥＤとしてもよい。以下、上記した発光素子が有機ＥＬ素子として説明を行う。
【００１４】
基材１１０は、絶縁体（例えば、樹脂）により形成されており、板状の形状を有している。詳細には、基材１１０は、その厚さ方向に互いに対向する面１５２，１５４が互いに平行な平面となっている。そして基材１１０は面１５２，１５４に垂直な方向から見て矩形となっており、この矩形は、第１辺１１２、第２辺１１４、第３辺１１６、及び第４辺１１８を有している。第１辺１１２及び第２辺１１４は互いに対向している。第３辺１１６及び第４辺１１８は互いに対向しており、本図に示す例では、第１辺１１２及び第２辺１１４よりも短い。すなわち、基材１１０の平面形状は、第１辺１１２及び第２辺１１４に沿って長手方向を有している。ただし基材１１０の平面形状はこれに限定されるものではなく、例えば正方形になっていてもよい。
【００１５】
光源１２０は、基材１１０の面１５２に設けられている。光源１２０は面状の形状を有している。具体的には、光源１２０の平面形状は、第１辺１１２、第２辺１１４、第３辺１１６、及び第４辺１１８に沿った矩形である。本図に示す例において光源１２０の表面は、面１５２に沿って平面である。ただし、光源１２０の表面の形状は平面に限定されるものではなく、曲面になっていてもよい。
【００１６】
本図に示す例では、基材１１０に光源１２０が１つのみ設けられている。ただし光源１２０の数はこれに限定されるものではない。例えば、同一平面形状の複数の光源１２０が、第１辺１１２、第２辺１１４、第３辺１１６、及び第４辺１１８に沿ってマトリクス状に配置されていてもよい。
【００１７】
受給端子１３０は、基材１１０の面１５４（第１面）に設けられている。受給端子１３０は導電性を有する部材（例えば、金属）により形成されており、導電性を有している。本図に示す例では、受給端子１３０は、厚さＴの板状部材を折り曲げた形状を有している。言い換えると、受給端子１３０は、フック状の形状を有している。上記した板状部材の折り曲げ角度は、例えば本図に示す例のように、おおよそ９０度にすることができる。ただしこの折り曲げ角度は本図に示す例（おおよそ９０度）に限定されるものではなく、鋭角にしてもよいし、又は鈍角にしてもよい。
【００１８】
詳細には、受給端子１３０の形状は、第１凸部１４２及び第２凸部１４４を有している。第１凸部１４２は面１５４に設けられている。第２凸部１４４は、第１凸部１４２の側面に設けられている。具体的には、第２凸部１４４は、第１凸部１４２のうち面１５４と反対側の端部に位置している。そして第２凸部１４４の長さＨ２は第１凸部１４２の高さＨ１よりも長い。本図に示す例では、第２凸部１４４は、第１辺１１２（基材１１０の長辺の一方）側から第２辺１１４（基材１１０の長辺の他方）側に向かう方向に第１凸部１４２から延伸している。
【００１９】
本図に示す例では、受給端子１３０として、第１受給端子１３２、第２受給端子１３４、及び第３受給端子１３６が面１５４に沿って並んでいる。第１受給端子１３２、第２受給端子１３４、及び第３受給端子１３６は、同一形状を有しており、それぞれ、電源端子、接地端子、及び信号端子である。ただし、第１受給端子１３２、第２受給端子１３４、及び第３受給端子１３６と電源端子、接地端子、及び信号端子の対応関係の順序はこれに限定されるものではない。各端子は、配線（不図示）を介して光源１２０と電気的に接続している。
【００２０】
なお、第３受給端子１３６（信号端子）は設けられていなくてもよい。この場合、光源１２０のオン・オフを制御する信号が、例えば、発光パネル１００の外部から送られる。以下、発光パネル１００が第１受給端子１３２、第２受給端子１３４、及び第３受給端子１３６を有するとして説明を行う。
【００２１】
複数の受給端子１３０のうち一の受給端子１３０は、発光パネル１００の重心に設けられている。これにより、この一の受給端子１３０を適当な凹部に引っかけると、発光パネル１００を安定して保持することができる。さらにこの一の受給端子１３０を含む複数の受給端子１３０は、発光パネル１００の重心を通過する直線上に位置している。これにより、これらの複数の受給端子１３０を適当な凹部に引っかけると、発光パネル１００をさらに安定して保持することができる。
【００２２】
本図に示す例では、第１受給端子１３２、第２受給端子１３４、及び第３受給端子１３６は、第１辺１１２及び第２辺１１４（基材１１０の長辺）の中点を通過する一直線上にこの順に並んでいる。そして第２受給端子１３４（第１受給端子１３２、第２受給端子１３４、及び第３受給端子１３６の中央に位置する端子）は、発光パネル１００の中心に位置している。本図に示す例では、第１受給端子１３２、第２受給端子１３４、及び第３受給端子１３６は、等間隔に並んでいる。ただし、これらの端子の間隔は本図に示す例に限定されるものではない。
【００２３】
図５は、本実施形態に係る電力供給装置２００を示す斜視図である。図６は、図５に示した電力供給装置２００の側面図である。図７は、図５の拡大図である。電力供給装置２００は、基材２１０及び供給端子２２０（電力供給部）を有している。電力供給装置２００は、例えば電力供給装置２００の外部に設けられた電源と接続している。そして電力供給装置２００は、供給端子２２０を介して上記した電源の電力を発光パネル１００に供給する。
【００２４】
基材２１０は、絶縁体（例えば、樹脂）により形成されており、板状の形状を有している。詳細には、基材２１０は、その厚さ方向に互いに対向する面２５２，２５４が互いに平行な平面となっている。そして基材２１０は面２５２，２５４に垂直な方向から見て矩形となっており、この矩形は、第５辺２１２、第６辺２１４、第７辺２１６、及び第８辺２１８を有している。第５辺２１２及び第６辺２１４は互いに対向している。第７辺２１６及び第８辺２１８は互いに対向しており、本図に示す例では、第５辺２１２及び第６辺２１４よりも長い。すなわち、基材１１０の平面形状は、第７辺２１６及び第８辺２１８に沿って長手方向を有している。ただし基材２１０の平面形状はこれに限定されるものではなく、例えば正方形になっていてもよい。
【００２５】
供給端子２２０は、面２５２（第１面）に設けられている。本図に示す例では、供給端子２２０として、第１供給端子２２２、第２供給端子２２４、及び第３供給端子２２６が面２５２に沿って並んでいる。第１供給端子２２２、第２供給端子２２４、及び第３供給端子２２６は、同一形状を有しており、発光パネル１００の第１受給端子１３２、第２受給端子１３４、及び第３受給端子１３６（図２）とそれぞれ接続する。このため、第１供給端子２２２、第２供給端子２２４、及び第３供給端子２２６の配置間隔は、第１受給端子１３２、第２受給端子１３４、及び第３受給端子１３６の配置間隔と対応している。
【００２６】
詳細には、第１供給端子２２２、第２供給端子２２４、及び第３供給端子２２６は、この順で、第７辺２１６及び第８辺２１８（基材２１０の長辺）に沿った一直線上に並んでいる。本図に示す例では、第１供給端子２２２、第２供給端子２２４、及び第３供給端子２２６は、第５辺２１２及び第６辺２１４（基材２１０の短辺）の中点を通過する一直線上に位置している。そして第２供給端子２２４（第１供給端子２２２、第２供給端子２２４、及び第３供給端子２２６の中央に位置する端子）は、第７辺２１６及び第８辺２１８（基材２１０の長辺）の中点を通過する直線上に位置している。さらに本図に示す例では、第１供給端子２２２、第２供給端子２２４、及び第３供給端子２２６は等間隔で並んでいる。ただし、これらの端子の間隔は本図に示す例に限定されるものではない。
【００２７】
本図に示す例において、供給端子２２０は、導電性の板状部材（例えば、金属板）を折り返した形状を有している。この場合に供給端子２２０は、第５辺２１２（基材２１０の短辺の一方）側から第６辺２１４（基材２１０の短辺の他方）側に向かって折り返している。
【００２８】
詳細には、図７に示すように、供給端子２２０は、延伸部分２３２及び折り返し部分２３４を有している。延伸部分２３２は、供給端子２２０が電力供給装置２００の面２５２に沿って延伸している部分である。折り返し部分２３４は、供給端子２２０が延伸部分２３２に対して折り返している部分である。
【００２９】
より詳細には、折り返し部分２３４は、接続部分２３６及び対向部分２３８を有している。対向部分２３８は間隙２４０を介して延伸部分２３２と対向している。そして延伸部分２３２及び対向部分２３８は接続部分２３６によって繋がっている。接続部分２３６及び対向部分２３８は、延伸部分２３２からこの順に繋がっている。
【００３０】
接続部分２３６において供給端子２２０は、電力供給装置２００の面２５２から離れる方向に延伸している。本図に示す例において、接続部分２３６では、供給端子２２０が延伸部分２３２に対してほぼ直角に折れ曲がっている。
【００３１】
対向部分２３８において供給端子２２０は、延伸部分２３２に折り返す方向に接続部分２３６に対して折れ曲がっている。本図に示す例において、対向部分２３８は、第１対向部分２３８ａ、第２対向部分２３８ｂ、及び第３対向部分２３８ｃを含んでいる。第１対向部分２３８ａ、第２対向部分２３８ｂ、及び第３対向部分２３８ｃは、接続部分２３６からこの順に繋がっている。第１対向部分２３８ａにおいて供給端子２２０は、延伸部分２３２から離れる方向に延伸している。第２対向部分２３８ｂにおいて供給端子２２０は、延伸部分２３２に近づく方向に延伸している。第３対向部分２３８ｃにおいて供給端子２２０は、延伸部分２３２から離れる方向に延伸している。
【００３２】
供給端子２２０は、延伸部分２３２から折り返し部分２３４にかけての折り曲げ及び折り返し部分２３４から対向部分２３８にかけての折り曲げにより、弾性を有している。具体的には、対向部分２３８が延伸部分２３２から離れる方向に動いた場合に対向部分２３８を延伸部分２３２に近づく方向に付勢するようになっている。言い換えると、供給端子２２０は、板バネに相当する形状を有している。
【００３３】
延伸部分２３２及び対向部分２３８は、間隙２４０を介して互いに対向している。そして間隙２４０を介して接続部分２３６の反対側には開口２４２が形成されている。開口２４２は、間隙２４０とその外部を繋いている。この場合、開口２４２を介して間隙２４０に発光パネル１００の第２凸部１４４（受給端子１３０）（図４）を差し込むことができる。
【００３４】
間隙２４０の幅は、第２対向部分２３８ｂ及び第３対向部分２３８ｃの接続箇所と延伸部分２３２の間で最小値Ｗｍｉｎをとる。そしてこの最小値Ｗｍｉｎは、発光パネル１００の受給端子１３０（第２凸部１４４）の厚さＴ（図４）よりも小さい。この場合、板状の第２凸部１４４をその厚さ方向に延伸部分２３２及び対向部分２３８によって挟んで保持することができる。
【００３５】
図８〜図１０は、発光パネル１００を電力供給装置２００に取り付ける方法を説明するための図である。本図においてｚ軸方向は鉛直方向を示しており、−ｚ軸方向に重力が働いている。
【００３６】
本図において電力供給装置２００は、ｚ軸方向に沿った面（例えば、壁面）に固定されている。この場合に電力供給装置２００の第１供給端子２２２、第２供給端子２２４、及び第３供給端子２２６は、重力の働く方向（−ｚ軸方向）にこの順に並んでいる。
【００３７】
供給端子２２０（第１供給端子２２２、第２供給端子２２４、及び第３供給端子２２６）は開口２４２を有している。開口２４２には、発光パネル１００の受給端子１３０が差し込まれる。そして第１供給端子２２２、第２供給端子２２４、及び第３供給端子２２６のいずれにおいても、供給端子２２０の内側から開口２４２に向かう方向が重力の働く方向と反対の方向（＋ｚ軸方向）を向いている。言い換えると、第１供給端子２２２、第２供給端子２２４、及び第３供給端子２２６において、開口２４２は同じ方向を向いている。
【００３８】
発光パネル１００を電力供給装置２００に取り付ける方法について説明する。まず、図８に示すように、発光パネル１００の位置合わせを行い、発光パネル１００と電力供給装置２００を対向させる。この場合、発光パネル１００の面１５４（受給端子１３０が設けられている面）が、電力供給装置２００の面２５２（供給端子２２０が設けられている面）と対向する。そして、発光パネル１００の受給端子１３０では、第１凸部１４２が面１５４から電力供給装置２００に向かって延伸しており、第２凸部１４４が第１凸部１４２から地面に向かって（すなわち、図中−ｚ軸方向に）延伸している。
【００３９】
次に、図９に示すように、発光パネル１００を移動させて、第１受給端子１３２、第２受給端子１３４、及び第３受給端子１３６を、鉛直方向（図中ｚ軸方向）において、それぞれ、第１供給端子２２２、第２供給端子２２４、及び第３供給端子２２６の上側に位置させる。
【００４０】
次に、図１０に示すように、発光パネル１００の受給端子１３０（第２凸部１４４）を供給端子２２０の開口２４２に差し込む。この場合、供給端子２２０は、第２凸部１４４を挟んで保持する。さらにこの場合、重力によって受給端子１３０の第１凸部１４２が供給端子２２０に引っかかる。これにより、第１受給端子１３２、第２受給端子１３４、及び第３受給端子１３６が、それぞれ、第１供給端子２２２、第２供給端子２２４、及び第３供給端子２２６によって保持される。このようにすることで、発光装置１０（電力供給装置２００の開口２４２に発光パネル１００の第２凸部１４４が差し込まれた発光装置）が構成される。
【００４１】
以上、本実施形態によれば、発光パネル１００は受給端子１３０を有している。電力供給装置２００は、供給端子２２０を有している。供給端子２２０は開口２４２を有している。開口２４２には、発光パネル１００の受給端子１３０が差し込まれる。そして受給端子１３０が開口２４２に差し込まれる場合に、受給端子１３０の差し込まれる方向が鉛直方向の上側から下側に向かう方向となっている。これにより、受給端子１３０が開口２４２に差し込まれた場合に、重力によって受給端子１３０を供給端子２２０に引っかけることができる。このようにして発光パネル１００を電力供給装置２００に取り付けることができる。さらに受給端子１３０及び供給端子２２０を介して電力供給装置２００から発光パネル１００に電力を供給することができる。このようにすることで、簡素な構成（受給端子１３０及び供給端子２２０）で、発光パネル１００を面に保持しつつ発光パネル１００に電力を供給することができる。
【００４２】
なお、受給端子１３０を開口２４２に差し込む方向（以下、「差し込み方向」という。）は、図８〜図１０に示す例（鉛直方向の上側から下側に向かう方向）に限定されるものではない。差し込み方向は、例えば、鉛直方向に対して垂直な方向（すなわち、水平方向）を向いていてもよい。言い換えると、電力供給装置２００を鉛直方向に垂直な方向に沿った面（例えば、天井）に設けてもよい。この場合、受給端子１３０を水平方向に沿って供給端子２２０に差し込むことができる。
【００４３】
さらに、差し込み方向は、鉛直方向に関して斜め下を向いていてもよい。すなわち、差し込み方向は、鉛直方向の上側から下側に向かう方向の成分を有することができる。この場合、重力を利用して、受給端子１３０を供給端子２２０に引っかけることができる。このため、発光パネル１００を電力供給装置２００に安定して保持することができる。
【００４４】
さらに、差し込み方向は、鉛直方向の下側から上側に向かう方向の成分を有していてもよい。例えば、差し込み方向は、鉛直方向の下側から上側に向かう方向であってもよいし、又は、鉛直方向に関して斜め上を向いていてもよい。この場合であっても、供給端子２２０が受給端子１３０を挟めば発光パネル１００を電力供給装置２００に保持することができる。
【実施例】
【００４５】
（実施例１）
図１１は、実施例１に係るカバー３００を示す斜視図である。図１２は、図１１に示したカバー３００の裏面を示す斜視図である。図１３は、図１１に示したカバー３００が図５に示した電力供給装置２００を覆う状態を示した図である。カバー３００は、基材３１０、穴３２０、マーク３３０、及び凸部３４０を有している。図１３に示すように、カバー３００は電力供給装置２００を覆う。なお、本実施例に係る発光パネル１００及び電力供給装置２００は、実施形態に係る発光パネル１００及び電力供給装置２００の構成とそれぞれ同様である。
【００４６】
基材３１０は、電力供給装置２００を覆う形状を有している。基材３１０は、絶縁材料（例えば、樹脂）により形成されており、カバー部３１２及びカバー側面部３１４を含んでいる。具体的には、基材３１０は、板状部材の縁の全周（カバー側面部３１４）を押し下げた形状を有している。この場合、基材３１０は、カバー側面部３１４以外の部分がカバー部３１２となる。そしてカバー側面部３１４は、カバー部３１２の縁の全周に位置するようになる。本図に示す例において、カバー側面部３１４は、カバー部３１２に対して直角に折り曲げられている。
【００４７】
より詳細には、カバー部３１２は、その厚さ方向に対向する面３５２，３５４が互いに平行な平面となっている。基材３１０は、面３５２，３５４に垂直な方向から見て矩形となっており、この矩形は、第９辺３６２、第１０辺３６４、第１１辺３６６、及び第１２辺３６８（カバー側面部３１４に相当）を有している。第９辺３６２及び第１０辺３６４は互いに対向している。第１１辺３６６及び第１２辺３６８は互いに対向しており、本図に示す例では、第９辺３６２及び第１０辺３６４よりも長い。すなわち、基材３１０の平面形状は、第１１辺３６６及び第１２辺３６８に沿って長手方向を有している。ただし基材３１０の平面形状はこれに限定されるものではなく、例えば正方形になっていてもよい。
【００４８】
本図に示す例では、第９辺３６２及び第１０辺３６４（基材３１０の短辺）は、第５辺２１２及び第６辺２１４（電力供給装置２００の短辺）よりも長い。第１１辺３６６及び第１２辺３６８（基材３１０の長辺）は、第７辺２１６及び第８辺２１８（電力供給装置２００の長辺）よりも長い。このため、カバー３００（基材３１０）が電力供給装置２００を覆う場合、カバー３００の第９辺３６２〜第１２辺３６８をそれぞれ電力供給装置２００の第５辺２１２〜第８辺２１８に沿った状態にすることができる。
【００４９】
穴３２０は、基材３１０のカバー部３１２に形成されている。穴３２０は、カバー部３１２を貫通し、面３５２から面３５４に達している。本図に示す例では、穴３２０の平面形状は、カバー３００（基材３１０）の第９辺３６２〜第１２辺３６８に沿った矩形である。ただし穴３２０の平面形状は本図に示す例に限定されるものではない。
【００５０】
本図に示す例では、穴３２０として、第１穴３２２、第２穴３２４、及び第３穴３２６が面３５２（面３５４）に沿って形成されている。カバー３００が電力供給装置２００を覆っている場合において発光パネル１００を電力供給装置２００に装着するとき、第１穴３２２、第２穴３２４、及び第３穴３２６には、第１受給端子１３２、第２受給端子１３４、及び第３受給端子１３６（図２及び図３）がそれぞれ通過する。
【００５１】
詳細には、図１３に示すようにカバー３００が電力供給装置２００を覆う場合、基材３１０の面３５２（外側の面）に垂直な方向から見て、穴３２０及び供給端子２２０が交互に並ぶようにする。本図に示す例では、第１穴３２２、第１供給端子２２２、第２穴３２４、第２供給端子２２４、第３穴３２６、及び第３供給端子２２６がこの順に並んでいる。なおこの場合、穴３２０の一部の領域が、面３５２に垂直な方向から見て、この穴３２０に隣接する供給端子２２０の一部と重なっていてもよい（例えば、第２穴３２４の一部の領域が、面３５２に垂直な方向から見て、第１穴３２２の一部及び第２穴３２４の一部と重なっていてもよい。）。
【００５２】
マーク３３０は、基材３１０の面３５２（外側の面）に形成されている。マーク３３０は、発光パネル１００の第２凸部１４４（受給端子１３０）（図４）を差し込む方向を示している。本図に示す例において、マーク３３０は、第１穴３２２側から第３穴３２６側に向かう方向を示す矢印である。
【００５３】
図１３に示すように、カバー３００は電力供給装置２００を覆う。この場合、カバー３００によって電力供給装置２００がほぼ見えなくなる。そしてこの場合、発光パネル１００の第２凸部１４４（受給端子１３０）（図４）をどの方向に差し込めばよいのかがカバー３００の外部からは分からなくなる。このような場合に備えてマーク３３０は形成されている。すなわちカバー３００が電力供給装置２００を覆う場合、供給端子２２０の内側から開口２４２（図７）に向かう方向がマーク３３０の示す方向と向かい合うようにする。これにより、マーク３３０の示す方向にしたがって第２凸部１４４（受給端子１３０）を開口２４２に差し込めば、発光パネル１００を電力供給装置２００に取り付けることができる。
【００５４】
凸部３４０は、基材３１０の面３５４（内側の面）に形成されている。凸部３４０は、絶縁材料（例えば、樹脂）により形成されており、例えば、基材３１０と同じ材料により基材３１０と一体に形成されている。本図に示す例において、凸部３４０は、板状の部材を面３５４にほぼ垂直に立てた形状を有している。ただし凸部３４０の形状はこれに限定されるものではない。
【００５５】
本図に示す例では、凸部３４０として、第１凸部３４２、第２凸部３４４、第３凸部３４６、及び第４凸部３４８が設けられている。第１凸部３４２、第２凸部３４４、第３凸部３４６、第４凸部３４８は同一の形状を有しており、第１１辺３６６及び第１２辺３６８（基材３１０の長辺）に沿ってこの順に並んでいる。そして第１凸部３４２及び第２凸部３４４は、面３５４に垂直な方向から見て、第１穴３２２を介して対向している。第２凸部３４４及び第３凸部３４６は、面３５４に垂直な方向から見て、第２穴３２４を介して対向している。第３凸部３４６及び第４凸部３４８は、面３５４に垂直な方向から見て、第３穴３２６を介して対向している。
【００５６】
図１４〜図１６は、カバー３００を介して発光パネル１００を電力供給装置２００に取り付ける方法を説明するための図である。本実施例は、カバー３００が設けられている点を除いて、実施形態と同様である。本図においてｚ軸方向は鉛直方向を示しており、−ｚ軸方向に重力が働いている。また本図に示すカバー３００は、図１２のＡ−Ａ断面図に相当する。
【００５７】
本図においてカバー３００は電力供給装置２００を覆っている。この場合、第１凸部３４２、第２凸部３４４、第３凸部３４６、及び第４凸部３４８は、重力の働く方向（−ｚ軸方向）にこの順に並んでいる。そしてカバー３００の面３５４（内側の面）側では、第１凸部３４２及び第２凸部３４４が第１供給端子２２２を介して対向している。同様に、第２凸部３４４及び第３凸部３４６が第２供給端子２２４を介して対向している。同様に、第３凸部３４６及び第４凸部３４８が第３供給端子２２６を介して対向している。この場合において、第１供給端子２２２、第２供給端子２２４、及び第３供給端子２２６、並びに第１凸部３４２、第２凸部３４４、第３凸部３４６、及び第４凸部３４８は一直線上に並んでいる。
【００５８】
発光パネル１００を電力供給装置２００に取り付ける方法について説明する。まず、図１４に示すように、発光パネル１００の位置合わせを行い、発光パネル１００と電力供給装置２００を、カバー３００を介して対向させる。この場合、発光パネル１００の面１５４（受給端子１３０が設けられている面）が、電力供給装置２００の面２５２（供給端子２２０が設けられている面）と対向する。さらにこの場合、発光パネル１００の面１５４は、カバー３００の面３５２（外側の面）と対向することになる。そして、発光パネル１００の受給端子１３０では、第１凸部１４２が面１５４から電力供給装置２００に向かって延伸しており、第２凸部１４４が第１凸部１４２から地面に向かって（すなわち、−ｚ軸方向に）延伸している。
【００５９】
次に、図１５に示すように、発光パネル１００の面１５４とカバー３００の面３５２を平行にした状態で、第１穴３２２、第２穴３２４、及び第３穴３２６に、第１受給端子１３２、第２受給端子１３４、及び第３受給端子１３６をそれぞれ通過させる。
【００６０】
次に、図１６に示すように、発光パネル１００の受給端子１３０（第２凸部１４４）を供給端子２２０の開口２４２に差し込む。この場合、供給端子２２０は、第２凸部１４４を挟んで保持する。さらにこの場合、重力によって受給端子１３０の第１凸部１４２が供給端子２２０に引っかかる。これにより、第１受給端子１３２、第２受給端子１３４、及び第３受給端子１３６が、それぞれ、第１供給端子２２２、第２供給端子２２４、及び第３供給端子２２６によって保持される。このようにすることで、発光装置１０（電力供給装置２００の開口２４２に発光パネル１００の第２凸部１４４が差し込まれた発光装置）が構成される。
【００６１】
以上、本実施例によれば、実施形態と同様にして、発光パネル１００を電力供給装置２００に取り付けることができる。そして本実施例では、カバー３００が電力供給装置２００を覆っている。これにより、電力供給装置２００を外部環境から保護することができる。
【００６２】
さらに本実施例によれば、カバー３００の面３５２（外側の面）には、マーク３３０が形成されている。マーク３３０は、電力供給装置２００の供給端子２２０を差し込む方向を示している。これにより、マーク３３０によって示される方向に供給端子２２０を差し込めば、電力供給装置２００を発光パネル１００に取り付けることができる。マーク３３０は、カバー３００によってカバー３００の外部からは電力供給装置２００の供給端子２２０の位置が確認することができない場合に有効に機能する。この場合、供給端子２２０を差し込む方向がカバー３００の外部から判断がつかなくても、マーク３３０によって示される方向に供給端子２２０を差し込めばよい。
【００６３】
さらに本実施例によれば、カバー３００の面３５４（内側の面）には、凸部３４０が形成されている。特に本実施例によれば、カバー３００が電力供給装置２００を覆う場合、第１供給端子２２２及び第２供給端子２２４の間に第２凸部３４４が位置するとともに、第２供給端子２２４及び第３供給端子２２６の間に第３凸部３４６が位置している。この場合、例えば、第２穴３２４に発光パネル１００の第２受給端子１３４を通過させた場合において第２受給端子１３４を本来の方向とは逆の方向（すなわち、第２供給端子２２４側から第１供給端子２２２側に向かう方向）に差し込んでも、第２受給端子１３４は第２凸部３４４と衝突する。すなわち、第２受給端子１３４が第１供給端子２２２と接触することが防止される。このようにして、発光パネル１００の受給端子１３０が電力供給装置２００の誤った端子に接触することが防止される。
【００６４】
（実施例２）
実施例２は、以下の点を除いて実施形態と同様である。なお、本実施例に係る図面は実施形態に係る図面と同様である。このため、本実施例では、実施形態に係る図１〜図１０を参照する。
【００６５】
図７に示すように、供給端子２２０は、延伸部分２３２及び折り返し部分２３４を含んでいる。延伸部分２３２は、供給端子２２０が電力供給装置２００の面２５２に沿って延伸している部分である。折り返し部分２３４は、供給端子２２０が延伸部分２３２に対して折り返している部分である。本実施例では、折り返し部分２３４は、供給端子２２０の外側を向いている面の少なくとも一部が絶縁材料によって形成されている。
【００６６】
本実施例では、例えば、折り返し部分２３４の全体が絶縁材料により形成されている。その他の例としては、折り返し部分２３４の一部のみ（例えば、接続部分２３６又は対向部分２３８の一方のみ）が絶縁材料により形成されていてもよい。その他の例としては、導電性の折り返し部分２３４の表面に絶縁膜を形成してもよい。なお、いずれの例においても、延伸部分２３２（特に、間隙２４０と対向している面）が導電性を有していれば、延伸部分２３２は発光パネル１００の受給端子１３０と電気的に接続することができる。
【００６７】
以上、本実施例によれば、折り返し部分２３４は、供給端子２２０の外側を向いている面の少なくとも一部が絶縁材料によって形成されている。このようにすることで、供給端子２２０に発光パネル１００の誤った端子が接触しても（例えば、第１供給端子２２２に第２受給端子１３４が接触しても）、誤った端子同士が電気的に接続することが絶縁材料により防止される。
【００６８】
さらに本実施例によれば、実施例１と同様に、電力供給装置２００をカバー３００（図１１〜図１６）によって覆うことができる。そして本実施例によれば、カバー３００に凸部３４０を形成しなくても、誤った端子同士が電気的に接続することが防止される。例えば、第２穴３２４に発光パネル１００の第２受給端子１３４を通過させた場合において第２受給端子１３４を本来の方向とは逆の方向（すなわち、第２供給端子２２４側から第１供給端子２２２側に向かう方向）に差し込むと（例えば、図１４〜図１６を参照）、第２受給端子１３４は第１供給端子２２２と衝突する。この場合第２受給端子１３４は、第１供給端子２２２に形成された絶縁材料と衝突する。このため、第１供給端子２２２と第２受給端子１３４が電気的に接続することが防止される。
【００６９】
（実施例３）
図１７は、実施例３に係る電力供給装置２００を示す斜視図であり、実施形態の図５に対応する。本実施例に係る電力供給装置２００は、基材２１０に穴２６２が形成されている点を除いて、実施形態に係る電力供給装置２００と同様の構成である。
【００７０】
穴２６２は基材２１０を貫通し、面２５２から面２５４に達している。本図に示す例において穴２６２の平面形状は円である。ただし、穴２６２の平面形状は円に限定されるものではない。
【００７１】
本図に示す例では、穴２６２、第１供給端子２２２、第２供給端子２２４、及び第３供給端子２２６は、面２５２に垂直な方向から見て一直線上に沿ってこの順に並んでいる。詳細には、穴２６２、第１供給端子２２２、第２供給端子２２４、及び第３供給端子２２６は、電力供給装置２００の重心を通過する一直線上に位置している。これにより、穴２６２を適当な凸部に引っかけた場合、穴２６２、第１供給端子２２２、第２供給端子２２４、及び第３供給端子２２６を鉛直方向に沿った一直線上に並べることができる。
【００７２】
なお本図に示す例では、基材２１０の平面形状は、矩形の１辺（第５辺２１２）に凸部を有するものとなっている。そしてこの凸部に穴２６２が形成されている。ただし、基材２１０の平面形状は本図に示す例に限定されるものではない。
【００７３】
図１８及び図１９は、鉛直方向に沿った面４００に発光パネル１００及び電力供給装置２００を取り付ける方法を説明するための図である。本図においてｚ軸方向は鉛直方向を示しており、−ｚ軸方向に重力が働いている。
【００７４】
本図において、面４００には凸部４０２が形成されている。凸部４０２は、面４００に垂直な方向に面４００から延伸している。後述するように凸部４０２は、電力供給装置２００の穴２６２を貫通する。
【００７５】
発光パネル１００及び電力供給装置２００を面４００に取り付ける方法について説明する。まず、実施形態と同様にして、発光パネル１００を電力供給装置２００に取り付ける。
【００７６】
次に、図１８に示すように、発光パネル１００及び電力供給装置２００を面４００に対向させる。この場合、発光パネル１００は電力供給装置２００を介して面４００と対向する。そして電力供給装置２００は、面２５４（供給端子２２０が設けられた面と反対側の面）が面４００と対向する。
【００７７】
次に、図１９に示すように、発光パネル１００及び電力供給装置２００を面４００に近づける。これにより、電力供給装置２００の穴２６２に面４００の凸部４０２を通す。この場合、電力供給装置２００は、穴２６２を介して凸部４０２に引っかかる。このようにして発光パネル１００及び電力供給装置２００が面４００に取り付けられる。
【００７８】
本図では、凸部４０２は、電力供給装置２００が凸部４０２に引っかかっている場合、鉛直方向（図中ｚ軸方向）から見て発光パネル１００と重なる領域まで達している。そして凸部４０２は、供給端子２２０から受給端子１３０を抜き出すまでに発光パネル１００が凸部４０２とぶつかる位置に設けられている。具体的には、発光パネル１００の第１辺１１２と凸部４０２の間の距離Ｄが、受給端子１３０が供給端子２２０にはまり込んでいる長さ（第２凸部１４４の長さＨ２に相当）よりも短くなっている。これにより、電力供給装置２００が凸部４０２に引っかかっている場合は、電力供給装置２００から発光パネル１００を取り外すことができないようになる。
【００７９】
（実施例４）
図２０及び図２１は、鉛直方向に沿った面４００に発光パネル１００及び電力供給装置２００を取り付ける方法を説明するための図である。本実施例は、発光パネル１００及び電力供給装置２００を面４００に取り付ける方法を除き、実施例３と同様である。
【００８０】
本図においては、面４００に凹部４０４が形成されている。一方、凸部４０２は、軸４０６及び幅広部４０８を有している。軸４０６は棒状の部材である。幅広部４０８は凹部４０４の一端に設けられている。そして軸４０６の長手方向から見た場合、幅広部４０８は軸４０６よりも幅が広い。凸部４０２及び凹部４０４は、例えば、それぞれ、雄ネジ及び雌ネジである。この場合、軸４０６の側面及び凹部４０４の内側面にネジ溝が形成される。そして凸部４０２を凹部４０４にねじ込むことができる。
【００８１】
発光パネル１００及び電力供給装置２００を面４００に取り付ける方法について説明する。まず、実施形態と同様にして、発光パネル１００を電力供給装置２００に取り付ける。
【００８２】
次に、図２０に示すように、発光パネル１００及び電力供給装置２００を面４００に対向させる。この場合、発光パネル１００は電力供給装置２００を介して面４００と対向する。そして電力供給装置２００は、面２５４（供給端子２２０が設けられた面と反対側の面）が面４００と対向する。
【００８３】
次に、図２１に示すように、電力供給装置２００の穴２６２に凸部４０２の軸４０６を通す。そして軸４０６を面４００の凹部４０４に差し込む（例えば、凸部４０２及び凹部４０４がそれぞれ雄ネジ及び雌ネジであれば、凸部４０２を凹部４０４にねじ込む）。この場合、電力供給装置２００は、穴２６２を介して凸部４０２（軸４０６）に引っかかる。このようにして発光パネル１００及び電力供給装置２００が面４００に取り付けられる。
【００８４】
本図では、凸部４０２の幅広部４０８は電力供給装置２００の穴２６２よりも広い幅を有している。このため、穴２６２が幅広部４０８を通過することはできない。これにより、凸部４０２（軸４０６）が凹部４０４に差し込まれている場合は、発光パネル１００及び電力供給装置２００を面４００から取り外すことができないようになる。
【００８５】
本図においても、実施例３と同様、凸部４０２（幅広部４０８）は、電力供給装置２００が凸部４０２に引っかかっている場合、鉛直方向（図中ｚ軸方向）から見て発光パネル１００と重なる領域まで達している。そして凸部４０２（幅広部４０８）は、供給端子２２０から受給端子１３０を抜き出すまでに発光パネル１００が凸部４０２（幅広部４０８）とぶつかる位置に設けられている。これにより、電力供給装置２００が凸部４０２（軸４０６）に引っかかっている場合は、電力供給装置２００から発光パネル１００を取り外すことができないようになる。
【００８６】
なお、凸部４０２を差し込む方向は本図に示す例（水平方向）に限定されるものではない。例えば、凸部４０２は、重力の働く方向と反対方向に差し込んでもよい。すなわち、発光パネル１００及び電力供給装置２００を、重力の働く方向を向いた面（例えば、天井）に設けてもよい。この場合、発光パネル１００の基材１１０には、複数の穴２６２を設けてもよい。この場合、複数の凸部４０２によって発光パネル１００及び電力供給装置２００を保持することができる。これにより、発光パネル１００及び電力供給装置２００を安定して上記した面に固定することができる。
【００８７】
（実施例５）
図２２は、実施例５に係る電力供給装置２００を示す斜視図である。図２３は、本実施例に係る発光装置１０を示す斜視図である。図２３では、図２２に示した電力供給装置２００に複数の発光パネル１００が取り付けられている。本実施例に係る電力供給装置２００は、以下の点を除き、実施形態に係る電力供給装置２００と同様の構成である。なお、本実施例に係る発光パネル１００は実施形態に係る発光パネル１００（図１〜図４）と同様の構成である。
【００８８】
電力供給装置２００は、面２５２に供給端子２２０（第１供給端子２２２、第２供給端子２２４、及び第３供給端子２２６）を有している。そして供給端子２２０は、面２５２に垂直な方向から見て第１方向に延伸している。そして供給端子２２０には、複数の発光パネル１００が取り付けられている。この場合に複数の発光パネル１００は第１方向に沿って並んでいる。
【００８９】
詳細には、電力供給装置２００の基材２１０は、第５辺２１２、第６辺２１４、第７辺２１６、及び第８辺２１８を有する矩形の平面形状を有している。第５辺２１２及び第６辺２１４は互いに対向している。第７辺２１６及び第８辺２１８は互いに対向し、第５辺２１２及び第６辺２１４よりも短い。すなわち、基材２１０は、第５辺２１２及び第６辺２１４に沿って長手方向を有している。
【００９０】
第１供給端子２２２、第２供給端子２２４、及び第３供給端子２２６は、第５辺２１２（基材２１０の長辺の一方）側から第６辺２１４（基材２１０の長辺の他方）側に向かってこの順に並んでいる。そして第１供給端子２２２、第２供給端子２２４、及び第３供給端子２２６は、第５辺２１２及び第６辺２１４（基材２１０の長辺）に沿って延伸している。
【００９１】
本実施例では、供給端子２２０の長さ（第５辺２１２及び第６辺２１４に沿った長さ）が、発光パネル１００の第１辺１１２及び第２辺１１４（発光パネル１００の長手方向）よりも長い。このため、供給端子２２０に複数の発光パネル１００を取り付けることができる。さらにこの場合、複数の発光パネル１００を第５辺２１２及び第６辺２１４（基材２１０の長辺）に沿って並べることができる。
【００９２】
さらに本実施例では、供給端子２２０の長さ（第５辺２１２及び第６辺２１４に沿った長さ）が、受給端子１３０（図２）の幅（第１辺１１２及び第２辺１１４に沿った長さ）よりも長い。このため、受給端子１３０を供給端子２２０の任意の位置に取り付けることができる。すなわち、発光パネル１００のレイアウトの自由度が高いものになる。
【００９３】
（実施例６）
図２４は、実施例６に係るカバー３００を示す斜視図である。図２５は、図２４に示したカバー３００の裏面を示す斜視図である。図２６は、本実施例に係る発光装置１０を示す斜視図であり、実施例５に係る図２３と対応する。図２６では、図２４に示したカバー３００が図２２に示した電力供給装置２００を覆っており、複数の発光パネル１００が電力供給装置２００に取り付けられている。本実施例に係るカバー３００は、以下の点を除いて、実施例１に係るカバー３００と同様の構成である。なお、本実施例に係る発光パネル１００は、実施形態に係る発光パネル１００（図１〜図４）と同様の構成である。本実施例に係る電力供給装置２００は、実施例５に係る電力供給装置２００（図２２）と同様の構成である。
【００９４】
本実施例では、カバー３００（基材３１０）は、図２２に示した電力供給装置２００を覆う形状を有している。図２２に示した電力供給装置２００では、供給端子２２０が第１方向に延伸している。そしてカバー３００が電力供給装置２００を覆う場合、穴３２０（第１穴３２２、第２穴３２４、及び第３穴３２６）は、供給端子２２０が延伸する方向（すなわち、第１方向）に沿って延伸するようになっている。これにより、実施例６と同様に、カバー３００を介して供給端子２２０に複数の発光パネル１００を取り付けることができる。さらにこの場合、複数の発光パネル１００を穴３２０の延伸方向に沿って並べることができる。
【００９５】
詳細には、基材３１０の平面形状は、第９辺３６２、第１０辺３６４、第１１辺３６６、及び第１２辺３６８を有する矩形である。第９辺３６２及び第１０辺３６４は互いに対向している。第１１辺３６６及び第１２辺３６８は互いに対向し、第９辺３６２及び第１０辺３６４よりも短い。すなわち、基材３１０の平面形状は、第９辺３６２及び第１０辺３６４に沿って長手方向を有している。
【００９６】
第９辺３６２及び第１０辺３６４（基材３１０の長辺）は、図２２に示した第５辺２１２及び第６辺２１４（電力供給装置２００の長辺）よりも長い。第１１辺３６６及び第１２辺３６８（基材３１０の短辺）は、図２２に示した第７辺２１６及び第８辺２１８（電力供給装置２００の短辺）よりも長い。このため、カバー３００（基材３１０）が電力供給装置２００を覆う場合、カバー３００の第９辺３６２〜第１２辺３６８をそれぞれ電力供給装置２００の第５辺２１２〜第８辺２１８に沿った状態にすることができる。
【００９７】
穴３２０（第１穴３２２、第２穴３２４、及び第３穴３２６）は、第９辺３６２及び第１０辺３６４（カバー３００の長辺）に沿って延伸している。一方、図２２に示した供給端子２２０（第１供給端子２２２、第２供給端子２２４、及び第３供給端子２２６）は、第５辺２１２及び第６辺２１４（電力供給装置２００の長辺）に沿って延伸している。このため、カバー３００が電力供給装置２００を覆う場合において第９辺３６２〜第１２辺３６８がそれぞれ第５辺２１２〜第８辺２１８に沿っているとき、穴３２０及び供給端子２２０は同じ方向に沿って延伸することができる。
【００９８】
基材３１０の面３５４（内側の面）には、凸部３４０が形成されている。面３５４に垂直な方向から見て、凸部３４０は、穴３２０が延伸する方向と同じ方向に沿って延伸している。実施例１と同様、凸部３４０は、電力供給装置２００を発光パネル１００に取り付ける場合に発光パネル１００及び電力供給装置２００の誤った端子同士が接触すること（例えば、第２受給端子１３４が第１供給端子２２２に接触すること）を防止するために設けられている。
【００９９】
（実施例７）
図２７は、実施例７に係る電力供給装置２００を示す斜視図であり、実施例５の図２２に対応する。図２８は、本実施例に係る発光装置１０を示す斜視図であり、実施例５の図２３に対応する。図２８では、図２７に示した電力供給装置２００に複数の発光パネル１００が取り付けられている。本実施例に係る電力供給装置２００は、以下の点を除いて、実施例５に係る電力供給装置２００と同様の構成である。
【０１００】
電力供給装置２００は、面２５２に供給端子２２０を有している。供給端子２２０は、延伸部分２３２及び折り返し部分２３４を有している。延伸部分２３２は、供給端子２２０が面２５２に沿って延伸している部分である。折り返し部分２３４は、供給端子２２０が延伸部分２３２に対して折り返している部分である。そして延伸部分２３２は、面２５２に垂直な方向から見て第１方向に延伸している。延伸部分２３２には、第１方向に沿って複数の折り返し部分２３４が繰り返し設けられている。
【０１０１】
供給端子２２０は、例えば、導電性の板状部材から形成される。この板状部材の平面形状は、長手方向及び短手方向を有する矩形である。具体的には、この板状部材の長手方向の１辺を櫛歯形状にする。そしてこの櫛歯形状の部分を折り返す。これにより、櫛歯形状の部分が折り返し部分２３４となる。このようにして供給端子２２０を形成することができる。
【０１０２】
複数の折り返し部分２３４は、共通の延伸部分２３２に電気的に接続している。これにより、これらの複数の折り返し部分２３４には、延伸部分２３２と同じ電位が印加されることになる。この場合、延伸部分２３２に電位を印加すれば各折り返し部分２３４に同じ電位を印加することができる。言い換えると、各折り返し部分２３４に個別に電位を印加しなくても、各折り返し部分２３４に電位を印加することができる。
【０１０３】
本図に示す例では、複数の折り返し部分２３４が延伸部分２３２の延伸方向に沿って等間隔に配置されている。これにより、折り返し部分２３４の配置間隔にしたがって、発光パネル１００を電力供給装置２００に取り付けることができる。言い換えると、折り返し部分２３４の配置にしたがって発光パネル１００の配置を制限することができる。
【０１０４】
（実施例８）
図２９は、実施例８に係るカバー３００を示す斜視図であり、実施例６の図２４に対応する。図３０は、図２９に示したカバー３００の裏面を示す斜視図であり、実施例６の図２５に対応する。図３１は、本実施例に係る発光装置１０を示す斜視図であり、実施例６の図２６に対応する。図３１では、図２９に示したカバー３００が図２７に示した電力供給装置２００を覆っており、複数の発光パネル１００が電力供給装置２００に取り付けられている。なお、本実施例に係る発光パネル１００は、実施形態に係る発光パネル１００（図１〜図４）と同様の構成である。本実施例に係る電力供給装置２００は、実施例７に係る電力供給装置２００（図２７）と同様の構成である。
【０１０５】
カバー３００の面３５２（面３５４）には、複数の第１穴３２２、複数の第２穴３２４、及び複数の第３穴３２６が形成されている。一方、図２７に示した電力供給装置２００では、供給端子２２０が第１方向に延伸している。そしてカバー３００が電力供給装置２００を覆う場合、複数の第１穴３２２が供給端子２２０の延伸する方向（すなわち、第１方向）に沿って繰り返し並ぶ。第２穴３２４及び第３穴３２６も同様である。
【０１０６】
詳細には、カバー３００が電力供給装置２００を覆う場合、複数の第１穴３２２、複数の第２穴３２４、及び複数の第３穴３２６は、それぞれ、第１供給端子２２２の複数の折り返し部分２３４、第２供給端子２２４の複数の折り返し部分２３４、及び第３供給端子２２６の複数の折り返し部分２３４と対応する位置に設けられる。これにより、第１受給端子１３２、第２受給端子１３４、及び第３受給端子１３６（図２及び図３）をそれぞれ適当な第１穴３２２、第２穴３２４、及び第３穴３２６に通せば、第１受給端子１３２、第２受給端子１３４、及び第３受給端子１３６を、それぞれ第１供給端子２２２、第２供給端子２２４、及び第３供給端子２２６の折り返し部分２３４に案内することができる。
【０１０７】
なお、図３０に示す例では、カバー３００の面３５４（内側の面）には凸部３４０が形成されている。そして凸部３４０は、面３５４に垂直な方向から見て、複数の第１穴３２２（又は複数の第２穴３２４若しくは複数の第３穴３２６）が並んでいる方向に沿って延伸している。ただし、凸部３４０の形状は本図に示す例に限定されるものではない。
【０１０８】
例えば、面３５４に垂直な方向から見て、凸部３４０を穴３２０と並べた状態で第１方向（すなわち、複数の第１穴３２２、複数の第２穴３２４、又は複数の第３穴３２６が並んでいる方向）に沿って繰り返し設けてもよい。これにより、実施例６と同様、凸部３４０は、電力供給装置２００を発光パネル１００に取り付ける場合に発光パネル１００及び電力供給装置２００の誤った端子同士が接触すること（例えば、第２受給端子１３４が第１供給端子２２２に接触すること）を防止する部材として機能する。
【０１０９】
（実施例９）
図３２は、実施例９に係る発光パネル１００を示す斜視図であり、実施形態の図２に対応する。図３３は、本実施例に係る電力供給装置２００を示す斜視図であり、実施形態の図５に対応する。本実施例に係る発光パネル１００及び電力供給装置２００は、以下の点を除いて、それぞれ実施形態に係る発光パネル１００及び電力供給装置２００と同様の構成である。
【０１１０】
発光パネル１００は、面１５４に、複数の受給端子１３０を有している。電力供給装置２００は、面２５２に複数の供給端子２２０を有している。そして面１５４に垂直な方向から見て、複数の受給端子１３０は、２回回転対称ではない多角形の頂点上に位置している。同様に、面２５２に垂直な方向から見て、供給端子２２０は、２回回転対称ではない多角形の頂点上に位置している。
【０１１１】
例えば、第１供給端子２２２、第２供給端子２２４、及び第３供給端子２２６が鉛直方向の上側から下側に向かってこの順に一直線上に並んでいる場合、面２５２に垂直な方向から見て、各端子の区別がつきにくい。この場合電力供給装置２００の上下を反対にしても、各端子が本来の順番とは逆の順番に並んでいること（第３供給端子２２６、第２供給端子２２４、及び第１供給端子２２２が鉛直方向の上側から下側に向かってこの順に並んでいること）が面２５２に垂直な方向からは判断がつかないことがある。そしてこの場合において発光パネル１００を電力供給装置２００に取り付けるとき、第１受給端子１３２、第２受給端子１３４、及び第３受給端子１３６を第３供給端子２２６、第２供給端子２２４、第１供給端子２２２にそれぞれ誤って接触させてしまうことが起こり得る。
【０１１２】
これに対して本実施例では、例えば電力供給装置２００の上下を逆にすると、上記した多角形が異なった形状に見える。言い換えると、複数の供給端子２２０の配置が異なった配置に見える。これにより、電力供給装置２００の上下を逆にしても各端子の区別がつきやすい。結果、発光パネル１００の誤った端子を電力供給装置２００の端子に接触させること（例えば、第１受給端子１３２を第３供給端子２２６に接触させること）が防止される。
【０１１３】
本図に示す例では、発光パネル１００において、第１受給端子１３２、第２受給端子１３４、及び第３受給端子１３６が、第１辺１１２（基材１１０の長辺の一方）側から第２辺１１４（基材１１０の長辺の他方）側に向かってこの順に並んでいる。そして第２受給端子１３４及び第３受給端子１３６は、第３辺１１６及び第４辺１１８（基材１１０の短辺）に沿った一直線上に位置している。これに対して、第１受給端子１３２は第１辺１１２及び第２辺１１４（基材１１０の長辺）に沿ってこの一直線からずれて位置している。
【０１１４】
電力供給装置２００において、第１供給端子２２２、第２供給端子２２４、及び第３供給端子２２６の配置は、第１受給端子１３２、第２受給端子１３４、及び第３受給端子１３６の配置とそれぞれ対応している。具体的には、第１供給端子２２２、第２供給端子２２４、及び第３供給端子２２６は、第５辺２１２（基材２１０の短辺の一方）側から第６辺２１４（基材２１０の短辺の他方）側に向かってこの順に並んでいる。そして第２供給端子２２４及び第３供給端子２２６は、第７辺２１６及び第８辺２１８（基材２１０の長辺）に沿った一直線上に位置している。これに対して、第１供給端子２２２は第５辺２１２及び第６辺２１４（基材２１０の短辺）に沿ってこの一直線からずれて位置している。
【０１１５】
以上、本実施例によれば、面１５４に垂直な方向から見て、複数の受給端子１３０は、２回回転対称ではない多角形の頂点上に位置している。同様に、面２５２に垂直な方向から見て、供給端子２２０は、２回回転対称ではない多角形の頂点上に位置している。これにより、例えば発光パネル１００の上下を逆にしても各受給端子１３０の区別がつきやすい。同様に例えば電力供給装置２００の上下を逆にしても各供給端子２２０の区別がつきやすい。結果、発光パネル１００の誤った端子を電力供給装置２００の端子に接触させること（例えば、第１受給端子１３２を第３供給端子２２６に接触させること）が防止される。
【０１１６】
以上、図面を参照して実施形態及び実施例について述べたが、これらは本発明の例示であり、上記以外の様々な構成を採用することもできる。
【符号の説明】
【０１１７】
１０ 発光装置
１００ 発光パネル
１１０ 基材
１１２ 第１辺
１１４ 第２辺
１１６ 第３辺
１１８ 第４辺
１２０ 光源
１３０ 受給端子（電力受給部）
１３２ 第１受給端子
１３４ 第２受給端子
１３６ 第３受給端子
１４２ 第１凸部
１４４ 第２凸部
１５２ 面
１５４ 面（第１面）
２００ 電力供給装置
２１０ 基材
２１２ 第５辺
２１４ 第６辺
２１６ 第７辺
２１８ 第８辺
２２０ 供給端子（電力供給部）
２２２ 第１供給端子
２２４ 第２供給端子
２２６ 第３供給端子
２３２ 延伸部分
２３４ 折り返し部分
２３６ 接続部分
２３８ 対向部分
２３８ａ 第１対向部分
２３８ｂ 第２対向部分
２３８ｃ 第３対向部分
２４０ 間隙
２４２ 開口
２５２ 面（第１面）
２５４ 面
２６２ 穴
３００ カバー
３１０ 基材
３１２ カバー部
３１４ カバー側面部
３２０ 穴
３２２ 第１穴
３２４ 第２穴
３２６ 第３穴
３３０ マーク
３４０ 凸部
３４２ 第１凸部
３４４ 第２凸部
３４６ 第３凸部
３４８ 第４凸部
３５２ 面
３５４ 面
３６２ 第９辺
３６４ 第１０辺
３６６ 第１１辺
３６８ 第１２辺
４００ 面
４０２ 凸部
４０４ 凹部
４０６ 軸
４０８ 幅広部
【図１】
2015204208.tif 000003
【図２】
2015204208.tif 000004
【図３】
2015204208.tif 000005
【図４】
2015204208.tif 000006
【図５】
2015204208.tif 000007
【図６】
2015204208.tif 000008
【図７】
2015204208.tif 000009
【図８】
2015204208.tif 000010
【図９】
2015204208.tif 000011
【図１０】
2015204208.tif 000012
【図１１】
2015204208.tif 000013
【図１２】
2015204208.tif 000014
【図１３】
2015204208.tif 000015
【図１４】
2015204208.tif 000016
【図１５】
2015204208.tif 000017
【図１６】
2015204208.tif 000018
【図１７】
2015204208.tif 000019
【図１８】
2015204208.tif 000020
【図１９】
2015204208.tif 000021
【図２０】
2015204208.tif 000022
【図２１】
2015204208.tif 000023
【図２２】
2015204208.tif 000024
【図２３】
2015204208.tif 000025
【図２４】
2015204208.tif 000026
【図２５】
2015204208.tif 000027
【図２６】
2015204208.tif 000028
【図２７】
2015204208.tif 000029
【図２８】
2015204208.tif 000030
【図２９】
2015204208.tif 000031
【図３０】
2015204208.tif 000032
【図３１】
2015204208.tif 000033
【図３２】
2015204208.tif 000034
【図３３】
2015204208.tif 000035